(57)【要約】【課題】一時的な使用者であるゲストや日常的な使用者であるホストが面倒な操作を行う必要がなく、携帯端末に保存されているデータを容易に共有する。【解決手段】中央装置４は、携帯端末２が翳されて非接触通信が成立すると、その携帯端末２を登録してＢＴ通信を許可し、その後、電源オンから電源オフに切替わり更に電源オフから電源オンに切替わると、登録されている携帯端末２を探索し、その探索に失敗すると、その探索に失敗した携帯端末２の登録を解除する。登録される携帯端末３の数の増大を抑制することができ、登録されている携帯端末３を一覧表示する際に、中央装置４を今使用しないゲストの携帯端末２を無駄に表示することがなくなる。【選択図】図１
2015195565.tif 000002
【特許請求の範囲】
【請求項１】
携帯端末（２）との間で非接触通信を行う非接触通信手段（４ｃ、５ｂ）と、
前記携帯端末との間で近距離無線通信を行う近距離無線通信手段（４ｂ）と、
電源のオンオフを検知する電源検知手段（４ｇ）と、
前記携帯端末と前記非接触通信手段との間で非接触通信が成立したと判定した場合に、その非接触通信が成立した前記携帯端末を登録し、前記近距離無線通信手段と前記携帯端末との間での近距離無線通信の接続を、当該近距離無線通信を接続不可能と判定するまで許可する制御手段（４ａ）と、を備え、
前記制御手段は、電源オンから電源オフに切替わり更に電源オフから電源オンに切替わったことが前記電源検知手段により検知された場合に、登録されている携帯端末の探索を前記近距離無線通信手段により行わせ、その探索に失敗した場合には、その探索に失敗した携帯端末の登録を解除することを特徴とする近距離無線通信装置（３）。
【請求項２】
請求項１に記載した近距離無線通信装置において、
前記制御手段は、前記近距離無線通信手段と前記携帯端末との間での近距離無線通信の最後の接続から所定時間が経過した場合にも、登録されている携帯端末の探索を前記近距離無線通信手段により行わせ、その探索に失敗した場合には、その探索に失敗した携帯端末の登録を解除することを特徴とする近距離無線通信装置。
【請求項３】
請求項１又は２に記載した近距離無線通信装置において、
前記制御手段は、登録されている携帯端末の探索に成功した場合には、前記携帯端末の登録を継続することを特徴とする近距離無線通信装置。
【請求項４】
携帯端末（２）との間で非接触通信を行う非接触通信手段（４ｃ、５ｂ）と、
前記携帯端末との間で近距離無線通信を行う近距離無線通信手段（４ｂ）と、
電源のオンオフを検知する電源検知手段（４ｇ）と、
前記携帯端末と前記非接触通信手段との間で非接触通信が成立したと判定した場合に、その非接触通信が成立した前記携帯端末を登録し、前記近距離無線通信手段と前記携帯端末との間での近距離無線通信の接続を、当該近距離無線通信を接続不可能と判定するまで許可する制御手段（４ａ）と、を備え、
前記制御手段は、電源オンから電源オフに切替わったことが前記電源検知手段により検知された場合に、登録されている携帯端末の登録を解除することを特徴とする近距離無線通信装置（３）。
【請求項５】
請求項１から４の何れか一項に記載した近距離無線通信装置において、
前記制御手段は、非接触通信が成立した前記携帯端末を登録した後に、恒久登録条件が成立したと判定した場合に、その恒久登録条件が成立した前記携帯端末を恒久登録し、前記近距離無線通信手段と前記携帯端末との間での近距離無線通信を恒久登録解除条件が成立するまで許可することを特徴とする近距離無線通信装置。
【請求項６】
請求項５に記載した近距離無線通信装置において、
前記制御手段は、前記携帯端末と前記非接触通信手段との間で複数回の非接触通信が連続して成立したと判定した場合に、前記恒久登録条件が成立したと判定することを特徴とする近距離無線通信装置。
【請求項７】
請求項５に記載した近距離無線通信装置において、
ユーザの第１の操作を受付ける第１の操作受付手段（４ｅ）を備え、
前記制御手段は、ユーザの第１の操作を前記第１の操作受付手段により受付けたと判定した場合に、前記恒久登録条件が成立したと判定することを特徴とする近距離無線通信装置。
【請求項８】
請求項６又は７に記載した近距離無線通信装置において、
ユーザの第２の操作を受付ける第２の操作受付手段（４ｅ）を備え、
前記制御手段は、ユーザの第２の操作を前記第２の操作受付手段により受付けたと判定した場合に、前記恒久登録解除条件が成立したと判定することを特徴とする近距離無線通信装置。
【請求項９】
請求項１から８の何れか一項に記載した近距離無線通信装置において、
前記制御手段は、登録している携帯端末の種別に応じて、当該携帯端末からの受信を許可するデータを選択することを特徴とする近距離無線通信装置。
【請求項１０】
請求項１から９の何れか一項に記載した近距離無線通信装置において、
前記近距離無線手段は第１の装置（４）に設けられ、前記非接触通信手段は前記第１の装置とは別の第２の装置（５）に設けられていることを特徴とする近距離無線通信装置。
【請求項１１】
携帯端末（２）との間で非接触通信を行う非接触通信手段（４ｃ、５ｂ）と、前記携帯端末との間で近距離無線通信を行う近距離無線通信手段（４ｂ）と、電源のオンオフを検知する電源検知手段（４ｇ）と、を有する近距離無線通信装置（３）に設けられ、マイクロコンピュータを有する制御手段（４ａ）に、
前記携帯端末と前記非接触通信手段との間で非接触通信が成立したと判定した場合に、その非接触通信が成立した前記携帯端末を登録する第１の手順と、
前記近距離無線通信手段と前記携帯端末との間での近距離無線通信の接続を、当該近距離無線通信を接続不可能と判定するまで許可する第２の手順と、
電源オンから電源オフに切替わり更に電源オフから電源オンに切替わったことが前記電源検知手段により検知された場合に、登録されている携帯端末の探索を前記近距離無線通信手段により行わせる第３の手順と、
前記第３の手順による探索に失敗した場合に、その探索に失敗した携帯端末の登録を解除する第４の手順と、を実行させるための登録管理プログラム。
【請求項１２】
携帯端末（２）との間で非接触通信を行う非接触通信手段（４ｃ、５ｂ）と、前記携帯端末との間で近距離無線通信を行う近距離無線通信手段（４ｂ）と、電源のオンオフを検知する電源検知手段（４ｇ）と、を有する近距離無線通信装置（３）に設けられ、マイクロコンピュータを有する制御手段（４ａ）に、
前記携帯端末と前記非接触通信手段との間で非接触通信が成立したと判定した場合に、その非接触通信が成立した前記携帯端末を登録する第１の手順と、
前記近距離無線通信手段と前記携帯端末との間での近距離無線通信の接続を、当該近距離無線通信を接続不可能と判定するまで許可する第２の手順と、
電源オンから電源オフに切替わったことが前記電源検知手段により検知された場合に、登録されている携帯端末の登録を解除する第５の手順と、を実行させるための登録管理プログラム。
【発明の詳細な説明】
【技術分野】
【０００１】
本発明は、携帯端末との間で非接触通信を行うと共に近距離無線通信を行う近距離無線通信装置及び登録管理プログラムに関する。
【背景技術】
【０００２】
従来より、ＮＦＣ（Near field Communication）の機能としてＢｌｕｅｔｏｏｔｈ（登録商標、以下、ＢＴと称する）ハンドオーバの機能がある。ＮＦＣのＢＴハンドオーバ機能によりＢＴ通信の接続手順を行うことで、ＢＴ通信の接続を許可したい携帯端末の特定や第三者が傍受できないことによるセキュリティの確保が可能となる。ＮＦＣのＢＴハンドオーバ機能を利用する構成として、ＮＦＣ通信部を有する携帯端末を、ＮＦＣ通信部を有する例えばナビゲーション装置等の近距離無線通信装置（対向機器、通信デバイス）に翳す構成が開示されている。携帯端末を近距離無線通信装置に翳し、ＮＦＣ通信を成立させることで、携帯端末を近距離無線通信装置に登録する（ＢＴ通信の接続を許可する）ことができる（例えば特許文献１参照）。
【先行技術文献】
【特許文献】
【０００３】
【特許文献１】特開２０１１−１４７００４号公報
【発明の概要】
【発明が解決しようとする課題】
【０００４】
しかしながら、上記したようなＮＦＣの機能を利用して携帯端末を近距離無線通信装置に登録する構成では以下の問題がある。ここで、近距離無線通信装置の日常的な使用者をホストと称し、近距離無線通信装置の一時的な使用者をゲストと称する。ゲストの携帯端末を近距離無線通信装置に登録し続けると、近距離無線通信装置に登録される携帯端末の数が増大する。その結果、登録されている携帯端末を例えば一覧表示する際に、近距離無線通信装置を今使用するゲストの携帯端末に加え、近距離無線通信装置を今使用しないゲストの携帯端末をも表示することになる。その状態で、近距離無線通信装置を今使用するゲストが、自分の携帯端末を選択するのは面倒である。又、ホストが、近距離無線通信装置を今使用しないゲストの携帯端末の登録を解除するのも面倒である。
【０００５】
又、ゲストの携帯端末に保存されているデータ（例えば音楽データ等）を共有するために、登録されている全ての携帯端末とのＢＴ通信の接続を自動的に試みるようにすると、接続しようとしている携帯端末が、近距離無線通信装置を今使用するゲストの携帯端末であるか今使用しないゲストの携帯端末であるかを判定する必要がある。その結果、接続しようとしている携帯端末が、近距離無線通信装置を今使用しないゲストの携帯端末であると判定するまでに無駄なタイムアウト時間が発生することになる。かといって、特許文献１のように、ＢＴ通信の接続を許可する携帯端末を切替えようとする都度、ＮＦＣ通信を成立させるべく携帯端末を近距離無線通信装置に翳すことも面倒である。
【０００６】
本発明は、上記した事情に鑑みてなされたものであり、その目的は、近距離無線通信装置の一時的な使用者であるゲストや日常的な使用者であるホストが面倒な操作を行う必要がなく、携帯端末に保存されているデータを容易に共有することができ、利便性を高めることができる近距離無線通信装置及び登録管理プログラムを提供することにある。
【課題を解決するための手段】
【０００７】
請求項１に記載した発明によれば、非接触通信手段は、携帯端末との間で非接触通信を行う。近距離無線通信手段は、携帯端末との間で近距離無線通信を行う。電源検知手段は、電源のオンオフを検知する。制御手段は、携帯端末と非接触通信手段との間で非接触通信が成立したと判定すると、その非接触通信が成立した携帯端末を登録し、近距離無線通信手段と携帯端末との間での近距離無線通信の接続を、当該近距離無線通信を接続不可能と判定するまで許可する。そして、制御手段は、電源オンから電源オフに切替わり更に電源オフから電源オンに切替わったことが電源検知手段により検知されると、登録されている携帯端末の探索を近距離無線通信手段により行わせ、その探索に失敗すると、その探索に失敗した携帯端末の登録を解除する。
【０００８】
即ち、電源オンから電源オフに切替わり更に電源オフから電源オンに切替わったことを契機とし、登録されている携帯端末の探索を近距離無線通信手段により行わせ、その探索に失敗すると、その探索に失敗した携帯端末の登録を解除するようにした。これにより、登録される携帯端末の数の増大を抑制することができ、登録されている携帯端末を例えば一覧表示する際に、近距離無線通信装置を今使用しないゲスト（近距離無線通信装置の一時的な使用者）の携帯端末を無駄に表示することがなくなる。その結果、近距離無線通信装置を今使用するゲストが、自分の携帯端末を容易に選択することができる。又、ホスト（近距離無線通信装置の日常的な使用者）が、近距離無線通信装置を今使用しないゲストの携帯端末の登録を解除する手間を不要とすることもできる。
【０００９】
又、非接触通信が成立した携帯端末を登録すると、近距離無線通信手段と携帯端末との間での近距離無線通信の接続を、当該近距離無線通信を接続不可能と判定するまで許可するようにした。これにより、近距離無線通信の接続を許可する携帯端末を切替えようとする都度、非接触通信を成立させる手間を不要とすることもできる。よって、ゲストやホストが面倒な操作を行う必要がなく、携帯端末に保存されているデータを容易に共有することができ、利便性を高めることができる。
【００１０】
請求項４に記載した発明によれば、非接触通信手段は、携帯端末との間で非接触通信を行う。近距離無線通信手段は、携帯端末との間で近距離無線通信を行う。電源検知手段は、電源のオンオフを検知する。制御手段は、携帯端末と非接触通信手段との間で非接触通信が成立したと判定すると、その非接触通信が成立した携帯端末を登録し、近距離無線通信手段と携帯端末との間での近距離無線通信の接続を、当該近距離無線通信を接続不可能と判定するまで許可する。そして、制御手段は、電源オンから電源オフに切替わったことが電源検知手段により検知されると、登録されている携帯端末の登録を解除する。
【００１１】
即ち、電源オンから電源オフに切替わったことを契機とし、登録されている携帯端末の登録を解除するようにした。これにより、上記した請求項１に記載した発明と同様に、登録される携帯端末の数の増大を抑制することができ、登録されている携帯端末を例えば一覧表示する際に、近距離無線通信装置を今使用しないゲストの携帯端末を無駄に表示することがなくなる。その結果、近距離無線通信装置を今使用するゲストが、自分の携帯端末を容易に選択することができる。又、ホストが、近距離無線通信装置を今使用しないゲストの携帯端末の登録を解除する手間を不要とすることもできる。
【００１２】
又、上記した請求項１に記載した発明と同様に、非接触通信が成立した携帯端末を登録すると、近距離無線通信手段と携帯端末との間での近距離無線通信の接続を、当該近距離無線通信を接続不可能と判定するまで許可するようにした。これにより、近距離無線通信の接続を許可する携帯端末を切替えようとする都度、非接触通信を成立させる手間を不要とすることもできる。よって、ゲストやホストが面倒な操作を行う必要がなく、携帯端末に保存されているデータを容易に共有することができ、利便性を高めることができる。
【図面の簡単な説明】
【００１３】
【図１】本発明の第１の実施形態を示す機能ブロック図
【図２】中央装置及び周辺装置の配置態様を示す図
【図３】シーケンス図（その１）
【図４】シーケンス図（その２）
【図５】シーケンス図（その３）
【図６】登録情報を管理する画面の遷移を示す図（その１）
【図７】従来との比較を示すシーケンス図（その１）
【図８】従来のシーケンス図（その１）
【図９】従来との比較を示すシーケンス図（その２）
【図１０】従来のシーケンス図（その２）
【図１１】プロファイルの接続を示す図
【図１２】登録情報を管理する画面の遷移を示す図（その２）
【図１３】本発明の第２の実施形態を示すシーケンス図
【発明を実施するための形態】
【００１４】
（第１の実施形態）
以下、本発明を、車両用の近距離無線通信システム１で用いられる近距離無線通信装置に適用した第１の実施形態について、図１から図１２を参照して説明する。車両用の近距離無線通信システム１は、ユーザが車室内に持込み可能な携帯端末２と、車両に搭載されている近距離無線通信装置３とを有する。近距離無線通信装置３は、中央装置４（第１の装置）と、周辺装置５（第２の装置）とを有する。尚、図１では、１つの中央装置４に１つの周辺装置５が接続されている態様を示しているが、１つの中央装置４に複数（２以上の）の周辺装置５が接続されている態様でも良い。又、中央装置４は、車両の現在位置を特定する機能、車両の現在位置を道路データにマップマッチングする機能、目的地を設定する機能、車両の現在位置から目的地までの経路を探索する機能等の周知のナビゲーション処理の機能を有するナビゲーション装置から構成されていても良い。
【００１５】
携帯端末２は、例えばスマートホン等の多機能型の携帯情報端末である。携帯端末２は、制御部２ａと、近距離無線通信部２ｂと、非接触通信部２ｃと、広域通信部２ｄと、表示部２ｅと、操作受付部２ｆと、音声処理部２ｇと、記憶部２ｈ等を有する。制御部２ａは、ＣＰＵ（Central Processing Unit）、ＲＯＭ（Read Only Memory）、ＲＡＭ（Random Access Memory）等を有するマイクロコンピュータを主体として構成されている。制御部２ａは、ＲＯＭに記憶されている制御プログラムをＣＰＵが実行することで、携帯端末２の近距離無線通信、非接触通信、登録情報の記憶等の動作全般を制御する。
【００１６】
近距離無線通信部２ｂは、後述する中央装置４の近距離無線通信部４ｂとの間で近距離無線通信を行う。この場合、近距離無線通信部２ｂは、近距離無線通信としてＢｌｕｅｔｏｏｔｈ（登録商標、以下、ＢＴと称する）通信を行う。非接触通信部２ｃは、後述する中央装置４の非接触通信部４ｃや周辺装置５の非接触通信部５ｂとの間で非接触通信を行う。この場合、非接触通信部２ｃは、非接触通信としてＮＦＣ（Near field Communication）通信を行う。広域通信部２ｄは、携帯電話網を介して基地局との間で広域通信を行う。
【００１７】
表示部２ｅは、制御部２ａから表示指令を入力すると、その入力した表示指令にしたがってホーム画面やメニュー画面等の各種画面を表示する。操作受付部２ｆは、筐体に配置されている機械的な釦（ホーム釦等）や表示部２ｅに形成されるタッチ釦を含み、ユーザが釦を押下すると、そのユーザが釦を押下したことを示す操作通知を制御部２ａに出力する。音声処理部２ｇは、マイクロホン（図示せず）が入力した音声を送話音声として送話処理したり、スピーカ（図示せず）から出力する音声を受話音声として受話処理したりする。記憶部２ｈは、携帯端末２の登録情報、中央装置４の登録情報等を記憶可能な記憶領域を有する。携帯端末２の登録情報とは、携帯端末２のＢＴアドレスやセキュリティ情報（公開鍵、乱数）である。中央装置４の登録情報とは、中央装置４のＢＴアドレスやセキュリティ情報（公開鍵、乱数）である。又、記憶部２ｈは、音楽データ等の各種データを記憶可能な記憶領域を有する。
【００１８】
中央装置４は、図２に示すように、車室内の運転席（図２ではＳ１にて示す）の近傍（例えばインパネの横等）に設置されている。即ち、中央装置４は、運転者が乗車して運転席に座ったときに、そのままの座った状態で携帯端末２を中央装置４に容易に翳すことが可能な部位に設置されている。尚、中央装置４の筐体には非接触通信の通信エリア付近を示す目印が付されている。運転者は、その目印を目標として携帯端末２を中央装置４に翳すことで、携帯端末２と中央装置４との間での非接触通信を良好に行えるようになっている。
【００１９】
中央装置４は、制御部４ａ（制御手段）と、近距離無線通信部４ｂ（近距離無線通信手段）と、非接触通信部４ｃ（非接触通信手段）と、表示部４ｄと、操作受付部４ｅ（第１の操作受付手段、第２の操作受付手段）と、記憶部４ｆと、電源検知部４ｇ（電源検知手段）と、通信部４ｈ等を有する。制御部４ａは、ＣＰＵ、ＲＯＭ、ＲＡＭ等を有するマイクロコンピュータを主体として構成されている。制御部４ａは、ＲＯＭに記憶されている制御プログラム（登録管理プログラムを含む）をＣＰＵが実行することで、中央装置４の近距離無線通信、非接触通信、登録情報の記憶等の動作全般を制御する。
【００２０】
近距離無線通信部４ｂは、携帯端末２の近距離無線通信部２ｂとの間で近距離無線通信を行う。非接触通信部４ｃは、携帯端末２が中央装置４に翳されて非接触通信の通信エリア内に存在すると、携帯端末２の非接触通信部２ｃとの間で非接触通信を行う。表示部４ｄは、制御部４ａから表示指令を入力すると、その入力した表示指令にしたがってホーム画面やメニュー画面等の各種画面を表示する。操作受付部４ｅは、筐体に配置されている機械的な釦（電源等）や表示部４ｄに形成されるタッチ釦を含み、ユーザが釦を押下すると、そのユーザが釦を押下したことを示す操作通知を制御部４ａに出力する。記憶部４ｆは、中央装置４の登録情報、携帯端末２の登録情報等を記憶可能な記憶領域を有する。
【００２１】
電源検知部４ｇは、車両のＡＣＣ（アクセサリ）スイッチのオンオフを示すＡＣＣ信号を入力する。制御部４ａは、ＡＣＣスイッチから電源検知部４ｇに入力されるＡＣＣ信号によりＡＣＣスイッチのオフからオンへの切替を検知すると、中央装置４を電源オフ（停止状態）から電源オン（起動状態）に切替える（中央装置４を起動する）。一方、制御部４ａは、ＡＣＣスイッチから電源検知部４ｇに入力されるＡＣＣ信号によりＡＣＣスイッチのオンからオフへの切替を検知すると、中央装置４を電源オンから電源オフに切替える（中央装置４を停止する）。電源オフとは、例えば近距離無線通信を成立させなかったりユーザからの操作を受付けなかったりする状態であり、通常よりも低い動作電力（低消費電力）で動作する状態である。電源オンとは、例えば近距離無線通信を成立させたりユーザからの操作を受付けたりする状態であり、通常の動作電力で動作する状態である。通信部４ｈは、後述する周辺装置５の通信部５ｃとの間でデータ通信を行う。この場合、通信部４ｈは、通信部５ｃとの間で有線通信及び無線通信の何れでデータ通信を行っても良い。
【００２２】
周辺装置５は、図２に示すように、車室内の助手席（図２ではＳ２）の近傍（例えばダッシュボードの助手席ドア側に近い付近等）や後部座席（図２ではＳ３）の近傍（例えば運転席シートや助手席シートの背面等）に設置されている。即ち、周辺装置５は、同乗者が乗車して助手席や後部座席に座ったときに、そのままの座った状態で携帯端末２を周辺装置５に容易に翳すことが可能な部位に設置されている。尚、周辺装置５の筐体にも非接触通信の通信エリア付近を示す目印が付されており、同乗者は、その目印を目標として携帯端末２を周辺装置５に翳すことで、携帯端末２と周辺装置５との間での非接触通信を良好に行えるようになっている。
【００２３】
周辺装置５は、制御部５ａと、非接触通信部５ｂ（非接触通信手段）と、通信部５ｃ等を有する。制御部５ａは、ＣＰＵ、ＲＯＭ、ＲＡＭ等を有するマイクロコンピュータを主体として構成されている。制御部５ａは、ＲＯＭに記憶されている制御プログラムをＣＰＵが実行することで、周辺装置５の非接触通信等の動作全般を制御する。非接触通信部５ｂは、携帯端末２が周辺装置５に翳されて非接触通信の通信エリア内に存在すると、携帯端末２の非接触通信部２ｃとの間で非接触通信を行う。通信部５ｃは、中央装置４の通信部４ｈとの間でデータ通信を行う。
【００２４】
ここで、携帯端末２の利用形態について説明する。運転者（車両の所有車）を、近距離無線通信装置３（特に中央装置４）の日常的な使用者であるホストと称し、同乗者を、近距離無線通信装置３の一時的な使用者であるゲスト（複数であれば、ゲストＡ、ゲストＢ、…）と称する。この場合、ホストは、乗車して運転席に座ると、自分の携帯端末２を中央装置４に翳すことになる。一方、例えばゲストＡは、乗車して助手席に座ると、自分の携帯端末２に保存されているデータを共有したいと考える場合には、自分の携帯端末２を助手席に近い周辺装置５に翳すことになる。同様に、例えばゲストＢは、乗車して後部座席に座ると、自分の携帯端末２に保存されているデータを共有したいと考える場合には、自分の携帯端末２を後部座席に近い周辺装置５に翳すことになる。
【００２５】
次に、上記した構成の作用について、図３から図１２も参照して説明する。ここでは、ゲストが乗車して携帯端末２を周辺装置５に翳した場合を説明する。
ゲストが自分の携帯端末２を携帯して乗車し、携帯端末２を周辺装置５に正常に翳すと、携帯端末２の非接触通信部２ｃと周辺装置５の非接触通信部５ｂとの間で非接触通信が成立する。周辺装置５において、制御部５ａは、携帯端末２との間で非接触通信が成立すると、登録情報要求を通信部５ｃから中央装置４に送信させる（Ｂ１）。
【００２６】
中央装置４において、制御部４ａは、登録情報要求を通信部４ｈにより受信したと判定すると、記憶部４ｆに記憶されている中央装置４の登録情報（中央装置４のＢＴアドレスやセキュリティ情報）を読出す。そして、制御部４ａは、その読出した中央装置４の登録情報を通信部４ｈから周辺装置５に送信させる（Ｃ１）。周辺装置５において、制御部５ａは、中央装置４の登録情報を通信部５ｃにより受信したと判定すると、その受信した中央装置４の登録情報を非接触通信部５ｂから非接触通信で携帯端末２に送信させる（Ｂ２）。
【００２７】
携帯端末２において、制御部２ａは、中央装置４の登録情報を非接触通信部２ｃにより受信したと判定すると、記憶部２ｈに記憶されている携帯端末２の登録情報（携帯端末２のＢＴアドレスやセキュリティ情報）を読出す。そして、制御部２ａは、その読出した携帯端末２の登録情報を非接触通信部２ｃから非接触通信で周辺装置５に送信させる（Ａ１）。周辺装置５において、制御部５ａは、携帯端末２の登録情報を非接触通信部５ｂにより受信したと判定すると、その受信した携帯端末２の登録情報を通信部５ｃから中央装置４に送信させる（Ｂ３）。
【００２８】
中央装置４において、制御部４ａは、携帯端末２の登録情報を通信部４ｈにより受信したと判定すると、その受信した携帯端末２の登録情報を記憶部４ｆに既に記憶済みであるか否かを判定し、その携帯端末２を既に登録済みであるか否かを判定する（Ｃ２）。制御部４ａは、その受信した携帯端末２の登録情報を記憶部４ｆに記憶済みでないと判定し、その携帯端末２を登録済みでないと判定すると（Ｃ２：ＮＯ）、登録要求を通信部４ｈから周辺装置５に送信させる（Ｃ３）。周辺装置５において、制御部５ａは、登録要求を通信部５ｃにより受信したと判定すると、その受信した登録要求を非接触通信部５ｂから非接触通信で携帯端末２に送信させる（Ｂ４）。
【００２９】
携帯端末２において、制御部２ａは、登録要求を非接触通信部２ｃにより受信したと判定すると、中央装置４の制御部４ａとの間で登録処理を行う。このとき、制御部２ａは、登録処理を正常に終了すると、中央装置４の登録情報を記憶部２ｈに記憶する。又、中央装置４において、制御部４ａは、登録処理を正常に終了すると、携帯端末２の登録情報を記憶部４ｆに記憶することで、携帯端末２を登録し、携帯端末２との間でのＢＴ通信の接続を許可する（Ｃ４、第１の手順）。即ち、この時点では、制御部４ａは、携帯端末２の登録情報を記憶部４ｆに記憶しているので、登録されている携帯端末２を表示部４ｄに一覧表示する際には、今回の登録処理により登録したゲストの携帯端末２の端末情報（例えば機種名等）を表示することになる。尚、制御部４ａは、ホストの携帯端末２を既に登録していれば、今回の登録処理により登録したゲストの携帯端末２の端末情報に加え、ホストの携帯端末２の端末情報をも表示することになる。
【００３０】
制御部４ａは、このようにして携帯端末２との間でのＢＴ通信の接続を許可すると、近距離無線通信部４ｂと近距離無線通信部２ｂとの間でＢＴ回線を接続する。そして、制御部４ａは、ＢＴ回線を接続すると、ＢＴ回線上で所定のプロファイルを接続し、所定のプロファイルを利用したデータ通信処理を行う。即ち、携帯端末２において、制御部２ａは、例えばＢＴ回線上でＡＶＰ（Audio/Video Profile、Ａ２ＤＰ（Advanced Audio Distribution Profile）及びＡＶＲＣＰ（Audio/Video Remote Control Profile））を接続すると、記憶部２ｈに保存されている音楽データを読出し、その読出した音楽データを近距離無線通信部２ｂから中央装置４に転送させる。中央装置４において、制御部４ａは、携帯端末２から音楽データが転送されると、その転送された音楽データを中央装置４に付設されているスピーカ（図示せず）から音声出力させる。
【００３１】
又、中央装置４において、制御部４ａは、再生コマンドや停止コマンド等のコマンドの操作指示を操作受付部４ｅにより受付けると、その受付けたコマンドを近距離無線通信部４ｂから携帯端末２に転送させる。携帯端末２において、制御部２ａは、中央装置４からコマンドが転送されると、その転送されたコマンドにしたがって音楽データの再生や停止等を制御する。以上の処理により、ゲストが乗車して携帯端末２を周辺装置５に翳すと、ゲストの携帯端末２が中央装置４に登録され、携帯端末２と中央装置４の間でのＢＴ通信の接続が許可される。そして、携帯端末２に保存されている音楽データが中央装置４に転送され、その音楽データが中央装置４に付設されているスピーカから音声出力される。これにより、ゲストの携帯端末２に保存されている音楽データを共有することができる。
【００３２】
これ以降、制御部４ａは、ゲストが自分の携帯端末２を携帯して降車し、携帯端末２が中央装置４のＢＴ通信の通信圏内から外れると（ＢＴ通信を接続不可能になると）、近距離無線通信部４ｂと近距離無線通信部２ｂとの間で接続していたＢＴ回線を切断する。又、制御部４ａは、ホストが降車するためにＡＣＣスイッチをオンからオフに切替えたことで、電源オンから電源オフへの切替を電源検知部４ｇにより検知すると（ＢＴ通信を接続不可能になると）（Ｃ５）、この場合も、近距離無線通信部４ｂと近距離無線通信部２ｂとの間で接続していたＢＴ回線を切断する。即ち、制御部４ａは、ＢＴ通信の接続を、当該ＢＴ通信を接続不可能と判定するまで許可する（第２の手順）。
【００３３】
次いで、制御部４ａは、ホストが乗車し、ＡＣＣスイッチをオフからオンに切替えたことで、電源オフから電源オンへの切替を電源検知部４ｇにより検知すると（Ｃ６）、その時点で登録されている携帯端末２の探索を近距離無線通信部４ｂにより行わせる（Ｃ７、第３の手順）。この場合、制御部４ａは、前回の（直前の電源オンから電源オフへの切替のときの）ゲストが自分の携帯端末２を携帯して乗車していれば、その前回のゲストの携帯端末２の探索に成功することになる。一方、制御部４ａは、前回のゲストが自分の携帯端末２を携帯して乗車していなければ（前回のゲストが乗車していない、又は前回のゲストが乗車したが自分の携帯端末２を携帯していない）、その前回のゲストの携帯端末２の探索に失敗することになる。
【００３４】
制御部４ａは、携帯端末２の探索に失敗した（成功しなかった）と判定すると（Ｃ８：ＮＯ）、その時点で記憶部４ｆに記憶されている前回のゲストの携帯端末２の登録情報を削除し（消去し）、前回のゲストの携帯端末２の登録を解除する（Ｃ９、第４の手順）。この時点で、制御部４ａは、登録されている携帯端末２を表示部４ｄに一覧表示するときには、前回のゲストの携帯端末２の登録を解除したことで、前回のゲストの携帯端末２の端末情報を表示することはない。即ち、制御部４ａは、ホストの携帯端末２を登録していれば、ホストの携帯端末２の端末情報のみを表示することになる。
【００３５】
一方、制御部４ａは、携帯端末２の探索に成功したと判定すると（Ｃ８：ＹＥＳ）、前回のゲストの携帯端末２の登録を解除せずに継続する（Ｃ１１）。この時点で、制御部４ａは、登録されている携帯端末２を表示部４ｄに一覧表示するときには、前回のゲストの携帯端末２の登録を解除せずに継続したことで、前回のゲストの携帯端末２を表示することになる。即ち、制御部４ａは、ホストの携帯端末２を登録していれば、ホストの携帯端末２の端末情報に加え、前回のゲストの携帯端末２の端末情報をも表示することになる。そして、制御部４ａは、ゲストの携帯端末２の登録を継続したことで、近距離無線通信部４ｂと近距離無線通信部２ｂとの間でＢＴ回線を接続し、ＢＴ回線を接続すると、ＢＴ回線上で所定のプロファイルを接続し、所定のプロファイルを利用したデータ通信処理を行う。
【００３６】
制御部４ａは、以上に説明した処理を行うことで、登録情報を管理する画面の遷移を図６に示すように行う。即ち、制御部４ａは、例えばホストの携帯端末２のみが登録されており、ゲストＡの携帯端末２（携帯端末Ａ）が登録されていない（未登録の）場合には、ホストの携帯端末２のみが登録されていることを示す画面Ｍ１を表示する。画面Ｍ１では、ホストの携帯端末２の端末情報ａ１、追加釦ｂ１及び削除釦ｂ２が表示される。
【００３７】
制御部４ａは、この状態からゲストＡが自分の携帯端末２を周辺装置５に翳したことでゲストＡの携帯端末２を登録すると、画面Ｍ１から画面Ｍ２に切替え、ホストの携帯端末２とゲストＡの携帯端末２が登録されていることを示す画面Ｍ２を表示する。画面Ｍ２では、ホストの携帯端末２の端末情報ａ１に加え、ゲストの携帯端末２の端末情報ａ２も表示され、ゲストの携帯端末２であることを示すアイコンＣ１も表示される。又、画面Ｍ２でも、追加釦ｂ１及び削除釦ｂ２が表示される。制御部４ａは、この状態からゲストＡが乗車や降車を繰り返しても電源オンのままであれば、画面Ｍ２を表示し続ける。又、制御部４ａは、ゲストＡが乗車したまま電源オンから電源オフに切替わると、画面Ｍ２を消去し、その後、ゲストＡが乗車したまま電源オフから電源オンに切替わると、画面Ｍ２を再表示する。
【００３８】
制御部４ａは、ゲストＡが自分の携帯端末２を携帯して降車し、且つ電源オンから電源オフに切替わると、画面Ｍ２を消去する。その後、制御部４ａは、電源オフから電源オンに切替わると、その時点でゲストＡが乗車していなければ、又はゲストＡが乗車したが自分の携帯端末２を携帯していなければ、上記したようにゲストＡの携帯端末２の探索に失敗したと判定する。そして、制御部４ａは、ゲストＡの携帯端末２の登録情報を削除し、ゲストＡの携帯端末２の登録を解除することで、画面Ｍ２を表示せずに画面Ｍ１を表示する。これにより、近距離無線通信装置３を今使用しないゲストの携帯端末２を表示することがなくなる。
【００３９】
即ち、制御部４ａは、図７に示すように、ホストの携帯端末２を既に登録している状態で、ゲストＡが自分の携帯端末２を携帯して乗車したことで、ゲストＡの携帯端末２を登録すると、登録情報を管理する画面Ｍ１では、ホストの携帯端末２の端末情報ａ１とゲストＡの携帯端末２の端末情報ａ２を表示する。その後、制御部４ａは、電源オンから電源オフに切替わり更に電源オフから電源オンに切替わり、ゲストＡではなくゲストＢが自分の携帯端末２を携帯して乗車したことで、ゲストＡの携帯端末２の探索に失敗すると、それまでのゲストＡの携帯端末２の登録を解除する。そして、制御部４ａは、ゲストＢの携帯端末２を登録すると、登録情報を管理する画面Ｍ３では、ゲストＡの携帯端末２の端末情報ａ２に代わってゲストＢの携帯端末２の端末情報ａ３を表示する。
【００４０】
図８に示す従来の構成では、本発明のようにゲストＡの携帯端末２を探索することはなく、その探索に失敗したゲストＡの携帯端末２の登録を解除することもないので、登録情報を管理する画面Ｍ４では、これまでに登録した全ての携帯端末２の端末情報（図８では、端末情報ａ１、ａ２、…、ａ２６、ａ２７）及びスクロールバーｄ１を表示する。このように従来の構成では、ゲストＢが登録情報を管理する画面Ｍ４上で自分の携帯端末２を選択することが面倒であるが、本発明の構成では、ゲストＢが登録情報を管理する画面Ｍ３上で自分の携帯端末２を容易に選択することができる。
【００４１】
又、制御部４ａは、図９に示すように、ホストの携帯端末２を既に登録している状態で、ゲストＡの携帯端末２を登録すると、電源オンが継続している限りは、これ以降の登録処理を行うことなく、データ通信の対象とする携帯端末２を切替え、ゲストＡの携帯端末２との間でのデータ通信処理とホストの携帯端末２との間でのデータ通信処理とを切替える。
【００４２】
図１０に示す従来の構成（特許文献１のようにＢＴ通信の接続を許可する携帯端末２を切替えようとする毎に携帯端末２を翳す構成）では、これ以降でも登録処理を行うことを条件とし、データ通信処理を切替える。即ち、ホストが自分の携帯端末２を中央装置４に翳したりゲストＡが自分の携帯端末２を周辺装置５に翳したりすることを条件とし、ゲストＡの携帯端末２との間でのデータ通信処理とホストの携帯端末２との間でのデータ通信処理とを切替える。このように従来の構成では、ゲストＡやホストがデータ通信の対象（例えば音楽データの転送元）とする携帯端末２を切替えることが面倒であるが、本発明の構成では、ゲストＡやホストがデータ通信の対象とする携帯端末２を容易に切替えることができる。即ち、ゲストＡやホストが例えば音楽データの転送元を切替える操作を中央装置４にて行うだけで、ゲストＡの携帯端末２に保存されている音楽データの音声出力とホストの携帯端末２に保存されている音楽データの音声出力とを切替えることができる。
【００４３】
尚、制御部４ａは、携帯端末２の登録情報を通信部４ｈにより受信したと判定し、その携帯端末２を既に登録済みであると判定すると（Ｃ２：ＹＥＳ）、登録処理を既に終了しており、その携帯端末２を既に登録しているので、その携帯端末２を恒久登録する（Ｃ２１）。制御部４ａは、これ以降に、電源オンから電源オフへの切替を電源検知部４ｇにより検知し（Ｃ５）、更に電源オフから電源オンへの切替を電源検知部４ｇにより検知しても（Ｃ６）、その時点で恒久登録されている携帯端末２の探索を近距離無線通信部４ｂにより行わせることはない。即ち、制御部４ａは、恒久登録されている携帯端末２については、探索の対象から除外し、登録を解除する対象から除外する。
【００４４】
このように本実施形態では、中央装置４は、ゲストが自分の携帯端末２を周辺装置５に１回のみ翳し、非接触通信が１回のみ成立すると、その携帯端末２を登録し、一方、ゲストが携帯端末２を周辺装置５に２回連続して翳し、非接触通信が２回連続して成立すると（恒久登録条件が成立すると）、その携帯端末２を恒久登録する。即ち、ゲストは、携帯端末２を周辺装置５に翳す回数を選択することで、一時的な登録とするか恒久的な登録とするかを選択することができる。又、例えばゲストが携帯端末２を選択した上で追加釦ｂ１を押下した（ユーザの第１の操作を受付けた）場合にも、そのゲストが選択した携帯端末２を恒久登録しても良い。更に、例えばゲストが携帯端末２を選択した上で削除釦ｂ２を押下した（ユーザの第２の操作を受付けた）場合に、そのゲストが選択した携帯端末２の恒久登録を解除しても良い。
【００４５】
尚、中央装置４は、ホストが自分の携帯端末２を中央装置４に１回のみ翳し、非接触通信が１回のみ成立すると、その携帯端末２を恒久登録する。即ち、中央装置４は、周辺装置５に翳されるゲストの携帯端末２については、周辺装置５に２回連続して翳されることを条件として恒久登録し、中央装置４に翳されるホストの携帯端末２については、中央装置４に１回のみ翳されることを条件として恒久登録する。中央装置４は、このように携帯端末２が翳された装置が中央装置４又は周辺装置５の何れであるかを判定することで、非接触通信の１回の成立により当該携帯端末２を一時的な登録とするか恒久的な登録とするかを区別する。又、以上は、ゲストが自分の携帯端末２を周辺装置５に翳すことを前提として説明したが、ゲストが自分の携帯端末２を中央装置４に翳した場合に、そのゲストの携帯端末２についても、中央装置４に１回のみ翳されることを条件として恒久登録しても良い。
【００４６】
尚、以上は、制御部４ａが、携帯端末２との間でのＢＴ通信の接続を許可し、近距離無線通信部４ｂと近距離無線通信部２ｂとの間でＢＴ回線を接続すると、ＢＴ回線上でＡＶＰを接続するようにしたが、接続するプロファイルをホストの携帯端末２とゲストＡの携帯端末２との間で差別化しても良い（登録している携帯端末２の種別に応じて、当該携帯端末２からの受信を許可するデータを選択しても良い）。即ち、ＡＶＰに加え、例えばＨＦＰ（Hands Free Profile）、ＭＡＰ（Message Access Profile）、ＰＢＡＰ（Phone Book Access Profile）、ＳＰＰ（Serial Port Profile）を接続の候補とする場合を想定する。この場合、制御部４ａは、ホストの携帯端末２との間でＢＴ回線を接続するときには、図１１（ａ）に示すように、これらのプロファイルの全てを接続する。一方、制御部４ａは、ゲストＡの携帯端末２との間でＢＴ回線を接続するときには、図１１（ｂ）に示すように、これらのプロファイルのうち個人的な情報を含むデータを扱うＨＦＰやＭＡＰやＰＢＡＰを接続せずに個人的な情報を含むデータを扱わないＡＶＰやＳＰＰのみを接続する。即ち、制御部４ａは、ホストの携帯端末２に対しては、ホストの携帯端末２からの全てのデータの受信を許可するが、ゲストＡの携帯端末２に対しては、ゲストＡの携帯端末２からの個人的な情報を含むデータの受信を禁止すると共に個人的な情報を含まないデータのみの受信を許可する。
【００４７】
このとき、制御部４ａは、図１２に示すように、ホストの携帯端末２とゲストＡの携帯端末２が登録されていることを示す画面Ｍ２にて詳細釦ｅ１、ｅ２を表示させ、ユーザが詳細釦ｅ１を押下すると、ホストの携帯端末２で使用可能な（サポートしている）プロファイルの一覧を表示させる。即ち、制御部４ａは、接続先の携帯端末２がホストの携帯端末２であれば、使用可能なプロファイルがＨＦＰ、ＡＶＰ、ＭＡＰ、ＰＢＡＰ、ＳＰＰであることを報知する。一方、制御部４ａは、ユーザが詳細釦ｅ２を押下すると、ゲストＡの携帯端末２で使用可能なプロファイルの一覧を表示させる。即ち、制御部４ａは、接続先の携帯端末２がゲストＡの携帯端末２であれば、使用可能なプロファイルがＡＶＰ、ＳＰＰのみであることを報知する。尚、プロファイルが使用可能であるか否かを報知する態様はどのようでも良い。図１２に示すように使用可能なプロファイル名と使用不可能なプロファイル名とを色や濃淡を変えて表示しても良いし（図１２では色や濃淡の違いを実線と破線にて示す）、使用可能なプロファイル名のみを表示しても良い。又、制御部４ａは、接続先の携帯端末２がホストの携帯端末２であれば、ＢＴアドレスを報知し、接続先の携帯端末２がゲストＡの携帯端末２であれば、ＢＴアドレスを報知しない（非表示とする）ようにしても良い。
【００４８】
以上に説明したように第１の実施形態によれば、中央装置４において、電源オンから電源オフに切替わり更に電源オフから電源オンに切替わると、登録されている携帯端末２を探索し、その探索に失敗すると、その探索に失敗した携帯端末２の登録を解除するようにした。これにより、登録される携帯端末３の数の増大を抑制することができ、登録されている携帯端末３を一覧表示する際に、中央装置４を今使用しないゲストの携帯端末２を無駄に表示することがなくなる。その結果、中央装置４を今使用するゲストが、自分の携帯端末２を容易に選択することができる。又、ホストが、中央装置４を今使用しないゲストの携帯端末２の登録を解除する手間を不要とすることもできる。又、非接触通信が成立した携帯端末２を登録すると、ＢＴ通信の接続を、当該ＢＴ通信を接続不可能と判定するまで許可するようにした。これにより、ＢＴ通信の接続を許可する携帯端末２を切替えようとする都度、非接触通信を成立させる手間を不要とすることもできる。よって、ゲストやホストが面倒な操作を行う必要がなく、携帯端末２に保存されている音楽データ等を容易に共有することができ、利便性を高めることができる。
【００４９】
又、登録されている携帯端末２の探索に成功すると、その探索に成功した携帯端末２の登録を解除せずに継続するようにした。これにより、例えば同じ同乗者が連続して乗車する場合には、その同乗者が自分の携帯端末２を携帯して乗車する毎に周辺装置５に翳す手間をなくすことができ、利便性をより一層高めることができる。
【００５０】
又、恒久登録条件が成立すると、その恒久登録条件が成立した携帯端末２を恒久登録し、ＢＴ通信を恒久登録解除条件が成立するまで許可するようにした。これにより、中央装置４を使用する頻度が高い同乗者の携帯端末２を恒久登録することで、この場合も、その同乗者が自分の携帯端末２を携帯して乗車する毎に周辺装置５に翳す手間をなくすことができ、利便性をより一層高めることができる。
【００５１】
又、ゲストが自分の携帯端末２を周辺装置５に１回のみ翳して非接触通信が１回のみ成立すると、その携帯端末２を登録し、ゲストが携帯端末２を周辺装置５に２回連続して翳して非接触通信が２回連続して成立すると、その携帯端末２を恒久登録するようにした。これにより、ゲストが自分の携帯端末２を周辺装置５に翳す回数を選択することで、一時的な登録とするか恒久的な登録とするかを容易に選択することができ、利便性をより一層高めることができる。
【００５２】
又、ゲストが携帯端末２を選択した上で追加釦ｂ１を押下した場合に、そのゲストが選択した携帯端末２を恒久登録し、ゲストが携帯端末２を選択した上で削除釦ｂ２を押下した場合に、そのゲストが選択した携帯端末２の恒久登録を解除するようにした。これにより、ゲストが追加釦ｂ１や削除釦ｂ２を押下するという簡単な操作で一時的な登録とするか恒久的な登録とするかを容易に選択することができ、利便性をより一層高めることができる。
【００５３】
又、近距離無線通信装置３を中央装置４と周辺装置５とに分け、周辺装置５が非接触通信部５ｂを有する構成とした。これにより、同乗者が自分の携帯端末２を中央装置４に翳すのではなく周辺装置５に翳すことで、同乗者の携帯端末２を中央装置４に登録することができ、利便性をより一層高めることができる。
【００５４】
（第２の実施形態）
次に、本発明の第２の実施形態について、図１３を参照して説明する。尚、上記した第１の実施形態と同一部分については説明を省略し、異なる部分について説明する。第１の実施形態は、ホストが降車するためにＡＣＣスイッチをオンからオフに切替えると、前回のゲストの携帯端末２の登録を即座に解除する構成である。
【００５５】
即ち、制御部４ａは、ホストが降車するためにＡＣＣスイッチをオンからオフに切替えたことで、電源オンから電源オフへの切替を電源検知部４ｇにより検知すると（ＢＴ通信を接続不可能になると）（Ｃ５）、第１の実施形態で説明したような電源オフから電源オンへの切替を検知して携帯端末２の探索を行わせることなく、近距離無線通信部４ｂと近距離無線通信部２ｂとの間で接続していたＢＴ回線を切断する。そして、制御部４ａは、その時点で記憶部４ｆに記憶されている前回のゲストの携帯端末２の登録情報を削除し（消去し）、前回のゲストの携帯端末２の登録を解除する（Ｃ９、第５の手順）。
【００５６】
以上に説明したように第２の実施形態によれば、中央装置４において、電源オンから電源オフに切替わると、登録されている携帯端末２の登録を解除するようにした。これにより、上記した第１の実施形態と同様に、登録される携帯端末３の数の増大を抑制することができ、登録されている携帯端末３を一覧表示する際に、中央装置４を今使用しないゲストの携帯端末２を無駄に表示することがなくなる。その結果、中央装置４を今使用するゲストが、自分の携帯端末２を容易に選択することができる。又、ホストが、中央装置４を今使用しないゲストの携帯端末２の登録を解除する手間を不要とすることもできる。
【００５７】
（その他の実施形態）
本発明は、上記した実施形態にのみ限定されるものではなく、以下のように変形又は拡張することができる。
近距離無線通信としてＢＴ通信を例示したが、ＷｉＦｉ（登録商標）通信に適用しても良い。
複数（２以上）の同乗者が乗車した場合、即ち、ゲストが複数であり、複数のゲストが個別に携帯端末２を周辺装置５に翳した場合も同様である。即ち、ゲストＡとゲストＢが同時に乗車し、ゲストＡとゲストＢが個別に自分の携帯端末２を周辺装置５に翳して非接触通信を成立させた場合には、ゲストＡの携帯端末２とゲストＢの携帯端末２が個別に登録され、その後、電源オンから電源オフに切替わり更に電源オフから電源オフに切替わると、ゲストＡの携帯端末２とゲストＢの携帯端末２の探索を個別に行う。
【００５８】
中央装置４が非接触通信部を有する構成を例示したが、中央装置４が非接触通信部を有しない構成であっても良い。その場合、運転者も同乗者と同様にして自分の携帯端末２を周辺装置５に翳すことになる。又、中央装置４と周辺装置５とを有する構成を例示したが、中央装置４のみの構成であっても良い。その場合、同乗者も運転者と同様にして自分の携帯端末２を中央装置４に翳すことになる。
【００５９】
登録されている携帯端末２を、電源オンから電源オフに切替わり更に電源オフから電源オンに切替わったタイミングで探索する構成を説明したが、ＢＴ通信の最後の接続から所定時間（例えば２４時間）が経過したタイミングで探索しても良い。このように構成すれば、電源オンのまま同乗者が交替する（入れ替わる）場合でも、登録される携帯端末３の数の増大を抑制することができる。
携帯端末２と中央装置４との間で接続するプロファイルは、ＡＶＰ、ＨＦＰ、ＭＡＰ、ＰＢＡＰ、ＳＰＰ以外であっても良い。又、複数のプロファイルをどのような順序で接続しても良い。
【符号の説明】
【００６０】
図面中、２は携帯端末、３は近距離無線通信装置、４は中央装置（第１の装置）、４ａは制御部（制御手段）、４ｂは近距離無線通信部（近距離無線通信手段）、４ｃは非接触通信部（非接触通信手段）、４ｅは操作受付部（第１の操作受付手段、第２の操作受付手段）、４ｇは電源検知部（電源検知手段）、５は周辺装置（第２の装置）、５ｂは非接触通信部（非接触通信手段）である。
【図１】
2015195565.tif 000003
【図２】
2015195565.tif 000004
【図３】
2015195565.tif 000005
【図４】
2015195565.tif 000006
【図５】
2015195565.tif 000007
【図６】
2015195565.tif 000008
【図７】
2015195565.tif 000009
【図８】
2015195565.tif 000010
【図９】
2015195565.tif 000011
【図１０】
2015195565.tif 000012
【図１１】
2015195565.tif 000013
【図１２】
2015195565.tif 000014
【図１３】
2015195565.tif 000015